Podtech/llm-jp-corpus-v4-ja_patent huggingface dataset:
(57)【要約】      （修正有）【課題】乾燥モズクをキムチの溶液に漬けることにより、キムチ味に加工したモズクのキムチ漬を提供する。【解決手段】モズクをキムチ味に加工する際に、乾燥したモズクを使用してキムチの溶液を浸透させるが、乾燥したモズクには水分を２５倍に吸収する作用があり、この作用を利用してキムチの溶液を乾燥モズクに吸収させる。乾燥したモズクはキムチの溶液を２０〜３０分でおよそ９０％を吸収して、簡単にキムチ味に加工することができる。【選択図】図１
0003173250.tif 000002
【実用新案登録請求の範囲】
【請求項１】
海藻類のモズクを各種の溶液に漬け漬物に加工するが、モズクを漬物に加工する方法として乾燥したモズクを使用すると、各種の溶液がモズクの深部まで浸透して漬物に加工することができる。この乾燥したモズクに各種の溶液を浸透させて漬物に加工する事を特徴とする、モズクの加工食品。
【請求項２】
乾燥したモズクにキムチの溶液を浸透させてキムチ味に加工するが、乾燥したモズクは水分を２５倍も吸収する作用があり、乾燥モズクが水分を吸収する作用を利用して、乾燥モズクにキムチの溶液を浸透させキムチ味に加工する。この乾燥したモズクにキムチの溶液を浸透させる事を特徴とする、モズクのキムチ味の加工食品
【考案の詳細な説明】
【技術分野】
【０００１】本考案は乾燥モズクを使用したキムチ漬に関する。
【背景技術】
【０００２】モズクのおよそ９０％が水分でその他は主に食物繊維である。モズクの生産者は塩漬けに加工して水分を抜いてから全国に出荷し、加工業者はモズクを加工する前に塩抜きする為、モズクのヌルヌル成分に含まれている栄養分を取り除いてから酢の物に加工している。【０００３】モズクは他の食材に加工する事が大変難しい海藻といわれ、現在でも酢の物以外には加工されず、他の食材に加工したモズクが販売されているのを見かける事は少ない。【０００４】海藻類の昆布やワカメ．ひじきにはそれぞれの風味があるが、モズクには風味が少ない為、加工食としては酢の物に限られている。このモズクを消費者が好んで食べるキムチ味に漬ける事により消費者の消費量が増え、それに伴いモズクの生産量も増加する。【０００５】生モズクを冷風を使用して乾燥すると、モズクの栄養成分はそのまま残り元の２５分の１に乾燥される。又この乾燥したモズクに水分を加えると元の２５倍の容量に膨れしゃきしゃきした食感もある。この乾燥したモズクが水分を吸収する作用を利用して、モズクをキムチ味に加工する事を考案した。【０００６】これまで、生のモズクを使用し酢の物やキムチ味に加工した食材はあるが、生モズクではキムチの溶液を充分に吸収することは出来ず、加工業者はモズクの表面にキムチのタレが付着したモズクをキムチ味の加工食品として販売している。
本考案では乾燥したモズクをキムチの溶液に漬ける事により、モズクの深部までキムチの溶液が浸透し、モズクの品質を落すことなくしゃきしゃきした食感のあるモズクのキムチ味に加工することができる。【０００７】モズクを使用したキムチ漬には食物繊維が多量に含まれ、食物繊維の中には抗癌作用のある「フコイダン」を多量に含有している。この乾燥したモズクをキムチ漬に加工することにより、諸費者はモズクを沢山食べて食物繊維や抗癌作用のあるフコイダンを直接摂取する事ができるようになる。【０００８】
【特許文献１】平成１７年１１月７日  特許第３７３５８３９号公報  （平成２０年１１月特許失効）  乾燥モズクの製造方法
【非特許文献１】財団法人日本食品分析センター、分析試験成績書、平成１４年１２月２０日、第４０２１２０１１７−００１号
【非特許文献２】財団法人沖縄県環境科学分析センター、分析試験成績書、平成１７年６月２１日  第２００５−Ｂ００９２１−０１号
【考案の開示】
【考案が解決しようとする課題】
【０００９】解決しようとする課題として、乾燥したモズクの約９０％が食物繊維であるが、日本人の食生活において厚生労働省が食物繊維の摂取量について、成人の一日あたりの目安として２０〜２７グラムと定められている。しかし現実には成人で一日約１４グラム程度しか摂取していないのが現状である。【００１０】消費者が毎日食べている食材から食物繊維を摂取する為に、仮にモズクであれば毎日約２０グラム食べることになる。しかしモズクを食べる消費者は一部の人に限られ、特に女性や子供達には酢の物の加工品は敬遠され、今日ではモズクの消費量は激減しつつある。このモズクの消費量を増やす為にも消費者が好んで食べるキムチ味に加工することにより、食物繊維の摂取量が多くなり厚生労働省の課題も解決できる。
【考案の効果】
【００１１】日本人の食物繊維の摂取量を多くする為に、モズクを消費者が好んで食べるキムチ味に加工する事により摂取量が多くなる。このモズクの食物繊維の摂取量も多くすることにより、モズクに含まれている抗癌作用のある「フコイダンを」を摂取すると、胃腸を丈夫にして免疫力を高めると共に、日本人の健康を促進する効果も大である。【００１２】食物繊維の多いモズクを消費者が好んで食べる食材にする為には、モズクをキムチ味のタレに漬け込むことによって、消費者は知らず知らずの内に多くの食物繊維を摂取するようになり、効果は計り知れずそれに伴いモズクの消費量も多くなる。【００１３】
【考案を実施する為の最良の形態】
【００１４】  モズクを漬物風に加工する為に乾燥したモズクを使用するのが最適である。乾燥したモズクは水分を吸収して元の容量の２５倍に膨れるが、この元の容量に膨れる作用を利用して各種の溶液に乾燥したモズクを漬けると、各種溶液の９０％以上を吸収して簡単に漬物に加工することができる。
【００１５】
【実施例】
【００１６】本考案の実施例を説明する為のフローチャートである。乾燥したモズクをキムチ味の溶液に浸し、モズクをキムチ味の食品に加工する。【００１７】以下、本考案の活用例を図１に基づいて説明する。
図１のａは、原料となる乾燥モズクを約３センチ角にカットする準備工程を示す。【００１８】図１のｂは、キムチの溶液を準備し、この溶液に乾燥モズクの容量の２５倍の水分を準備する工程である。【００１９】図１のｃは、乾燥したモズクを容器に入れ、この容器にキムチの溶液を入れて乾燥モズクを浸す工程である。【００２０】
【産業上の利用可能性】
【００２１】日本人の食物繊維の摂取量は年毎に少なくなり社会問題化しているが、この食物繊維をモズクのキムチ漬を食べることにより、消費者は簡単に摂取ししかも他の栄養分や胃や腸を整えたりする整腸作用を、モズクのキムチ漬で補うことができ、人々の健康管理に大いに役立つ。
【図面の簡単な説明】
【００２２】
【図１】本効果の実施方法を示した説明図である。
【符号の説明】
【００２３】ａ  準備した乾燥モズクをおよそ３センチ角にカットする。
ｂ  準備したキムチの溶液に、乾燥したモズクの２５倍の水分を加える。
ｃ  乾燥したモズクを容器に入れ、この容器にキムチの溶液を入れモズクを浸す。
【図１】
0003173250.tif 000003
(57)【要約】      （修正有）【課題】都市ガスメータ、プロパンガスメータ等に組み込まれているカウンター組み付け治具を提供する。【解決手段】上部に数字の位置決めリブを複数設けた置台部と、側部に細長状の手握軸を設け、中央部に切り込み部を形成した基盤を設けたことを特徴とする。本治具を用いることによって、カウンターを構成する歯車間の密着度が強くなりその結果、歯車の脱落が無くなり、桁上げの間違いが生じることがない。また、カウンターの組立効率がスピードアップされた治具である。【選択図】図１
0003173232.tif 000002
【実用新案登録請求の範囲】
【請求項１】
上部に数字の位置決めリブを複数設けた置台部と、側部に細長状の手握軸を設け、中央部に切り込み部を形成した基盤を設けたことを特徴とするカウンター組み付け治具。
【考案の詳細な説明】
【技術分野】
【０００１】この考案は、都市ガスメータ、プロパンガスメータ等に装着されているカウンター組み付け治具に関するものである。
【背景技術】
【０００２】従来、都市ガス、プロパンガスの使用量を計るためにプラスッチクの歯車の表面に、０〜９の数字を表記した複数の歯車が組み込まれ、ガス使用量を積算する歯車の数字（以下、カウンターと称す）に基ずいてガス料金が需要者に請求されるようになっている。したがって、使用量によって桁上げされるカウンターの数字は、常に正常なものでなければならない。【０００３】そこで、従来のカウンターの組立法について説明する。
現場においては、図２に示すように一端に座金（１）を設けたシャフト（２）に０〜９までの数字を表記した歯車（３）を７個、手でつまんで挿入した後、後記するカウンター保持台（４）に装着していた。
【考案の概要】
【考案が解決しようとする課題】
【０００４】ところが、ここ数年の間に本体の小型化が求められ、それにしたがって、当然にカウンターを構成する部品の極小化が進み始めた。従来、指先でシャフト（２）に複数の歯車（３）を挿入することは容易なことであったが、外径や中心孔小型化することでメータのアッセンブリーがやりにくく、不正確のカウント表になりがちであった。本考案はそれらの問題点を解決する為になされたものである
【課題を解決するための手段】
【０００５】上記の問題を解決する為に、上部にカウンター保持台を搭載する置台部と、側部には手握軸を設け、中央部には切り込み部を形成した基盤を設けたことを特徴とするカウンター組み付け治具を提供する。
【考案の効果】
【０００６】本案の治具を用いることによって、カウンターを構成する歯車間の密着度が強くなりその結果、歯車の脱落が無くなり、桁上げの間違いが生じることがない。
また、カウンターの組立効率がスピードアップされた業界における画期的な治具である。
【図面の簡単な説明】
【０００７】
【図１】本考案の平面斜視図
【図２】本考案の歯車の説明図
【図３】本考案の桁上げ歯車の説明図
【図４】本考案のカウンター保持台の説明図
【図５】本考案のカウンターをカウンター保持台に設けて治具に装着した説明図
【図６】本考案の実施説明図
【図７】本考案の実施説明図
【図８】本考案の実施説明図
【考案を実施するための形態】
【０００８】以下、本考案の実施例について説明する。
歯車（３）をシャフト（２）に挿入して左右に座金（１）を設けてカウンター（５）を組み立てることは従来と変わりはない。
【０００９】しかる後に、カウンター（５）を開口部（６）とカウンターギヤ（７）を設けた長方形状のカウンター保持台（４）に挿入する。図４
【００１０】その後、カウンター保持台（４）を治具（８）に装着させ、その全体図を示したのが図５、である
【００１１】次に本考案の主要部である治具（８）の構成について説明する  図１
鉄を主材とする治具（８）の上部にはカウンター保持台（４）を搭載する置台部（９）を設け、側部には細長状の手握軸（１０）が軸体（１１）で連接されている。
【００１２】治具（８）の中央部には、指で前後に移動させるための軸体（１２）と６ヶ所の切り込み部（１３）を形成した基盤（１４）が前後自在に可動するようにしている。ここで述べた切り込み部（１３）には図３で示す桁上げ歯車（１５）嵌合される。
【００１３】治具（８）の上部には歯車（３）の数字位置決めのリブ（１６）を７個設けてある。カウンター（５）をリブ（１６）の間に差し込んでから、指で歯車（３）をストッパー位置まで矢印の方向にまわす。（図６）
【００１４】次に桁上げ歯車（１５）を基盤（１４）に設けた切り込み部（１３）に嵌合させて、軸体（１２）に指を当てて基盤（１４）を前方に移動させ、桁上げ歯車（１５）をカウンター（５）に搭載した複数の歯車（３）間に押し入れて、シャフト（１７）に設けた６個のピ二オンギヤ（１８）と歯車（３）の側部に設けてある爪とが嵌合されて、歯車（３）との噛み合い位置が決定される。（図８）
【００１５】その後、カウンター（５）と桁上げ歯車（１５）の脱落防止とそれぞれの歯車間の密着強度を図るために、カウンター保持台（４）の側壁（１９）と桁上げ歯車（１５）のシャフト（１７）間にＵ字状の抜け止めピン（２０）を左右にそれぞれ手で入れて、同時に手握軸（１０）を介して強く押し込む。（図８）したがって、歯車（３）や桁上げ歯車（１５）が落下することもなく、しかもそれぞれ歯車間の密着度が強くなるのである。
なお、図面上の数字の２１はカウンター保持台（４）を壁面などに当てて作業する時に背当て板である。
【符号の説明】
【００１６】３：歯車
４：カウンター保持台
５：カウンター
８：治具
９：置台部
１０：手握軸
１４：基盤
【図１】
0003173232.tif 000003
【図２】
0003173232.tif 000004
【図３】
0003173232.tif 000005
【図４】
0003173232.tif 000006
【図５】
0003173232.tif 000007
【図６】
0003173232.tif 000008
【図７】
0003173232.tif 000009
【図８】
0003173232.tif 000010
【手続補正書】
【提出日】平成23年10月11日(2011.10.11)
【手続補正１】
【補正対象書類名】実用新案登録請求の範囲
【補正対象項目名】全文
【補正方法】変更
【補正の内容】
【実用新案登録請求の範囲】
【請求項１】
カウンター組み付け治具の上部に数字の位置決めリブを複数設けた置台部を設け、そのカウンター組み付け治具の側部に細長状の手握軸を軸体で連接し、さらにカウンター組み付け治具の中央部に切込み部を形成した基盤を設けたことを特徴とするカウンター組み付け治具。
(57)【要約】      （修正有）【課題】高温の夏場においても冷涼感が持続する腕カバーを提供する。【解決手段】腕カバーを周方向に伸縮するゴム編みされた伸縮性を有する厚手の生地により形成する。外側編地はポリエステルが用いられ、内側編地は綿あるいはレーヨンが用いられる。腕カバー１を水に浸した後に絞り、内側編地に水を保水させ、腕に装着する。外側編地から内側編地に保水された水が蒸散する気化熱によって冷却する。【選択図】図１
0003173220.tif 000002
【実用新案登録請求の範囲】
【請求項１】
筒状に編成され、外側編地と内側編地により二重構造で周方向に伸縮するゴム編みされた生地に形成された腕カバーであって、外側編地はポリエステルが用いられ、内側編地は綿あるいはレーヨンが用いられ、当該腕カバーを水に浸した後に絞り、前記内側編地に水を保水させ、腕に装着することを特徴とする腕カバー。
【考案の詳細な説明】
【技術分野】
【０００１】
本考案は、腕の冷却機能を有する腕カバーに関するものである。
【背景技術】
【０００２】
従来、腕カバーとしては特許文献１に開示されているものが知られている。この特許文献１に開示されている腕カバーは、丸編みにより筒状に編成された腕覆い部と、手の甲覆い部とが一体に作られている腕カバーであって、腕覆い部および手の甲覆い部が外側編地と内側編地により二重構造に作られ、外側編地をポリエステルからなるＵＶカット糸を用いて編成することによりＵＶ（紫外線）をカットする機能を持たせ、内側編地を綿からなる吸水性の糸を用いて編成することにより発汗した汗を吸い取る機能を持たせている。
【先行技術文献】
【特許文献】
【０００３】
【特許文献１】特開２００５−２１３６５９号公報
【考案の概要】
【考案が解決しようとする課題】
【０００４】
上記した腕カバーでは、主に腕部分の日焼けを防止し、カバー内でかいた汗で腕がむれることなく、内側編地で汗を吸い取り、その汗の気化熱によりひんやり感を得ることを目的としており、人体に装着したときには、空間を開けて肌に触れる程度であり、肌に対して締め付けるようなフィット感はない。このような従来例は、人体から発する汗を利用した冷却システムであるため、冷却感を持続させるには限界があった。そこで、本考案は、作業する際の腕を保護するとともに、腕を冷やすことを目的とする。
【課題を解決するための手段】
【０００５】
上記目的を達成するために、本考案の腕カバーは、筒状に編成され、外側編地と内側編地により二重構造で周方向に伸縮するゴム編みされた生地に形成され、外側編地はポリエステルが用いられ、内側編地は綿あるいはレーヨンが用いられ、当該腕カバーを水に浸した後に絞り、前記内側編地に水を保水させ、腕に装着することを特徴とする。
【考案の効果】
【０００６】
この考案によれば、水を浸透させ、内側編地は水分を保水しつつ、外側編地から水分が気化することにより腕を冷却することができる。腕カバーはゴム編みされているので、肌に密着しており、気化による冷却効果は直ちに人体に伝達させることができる。また、内側編地により多くの水を保水することができれば、冷却効果はより持続する。また、内側編地を厚手の生地にして保水力を高めれば、農作業や土木作業などにおいても、腕を保護にも効果が期待できる。
【図面の簡単な説明】
【０００７】
【図１】腕カバーの斜視図である。
【図２】腕カバーの断面図である。
【図３】腕カバーの使用説明図である。
【図４】腕カバーの効果を示す図である。
【考案を実施するための形態】
【０００８】
以下、本発明の一実施の形態について、図面を用いて説明する。
図において、１は丸編みにより筒状に編成された腕カバーである。横編みした編地を筒状に接ぎ合わせても良い。この腕カバー１は二重構造で伸縮性を有する厚手の生地に形成する。外側編地２と内側編地３を備え、外側編地２をポリエステルからなる糸を用いて周方向ｃに伸縮するゴム編みをする。図において、ゴム編みされた状態を一部拡大して示している。
【０００９】
外側編地２に用いるポリエステルからなる糸は、公定水分率が０．４％であり保水性が悪い。一方、内側編地３に用いる綿は、公定水分率が８．５％である。従って、腕カバー１を濡らした状態で腕に装着したときには、腕と外側編地２の間の内側編地３に水が保水されている状態になる。一方、外側編地２は内側編地３の水を少しずつ表面に導き、大気に蒸散させる。蒸散するときの気化熱により体表面の温度を下げるのである。腕カバー１は、ゴム編みされているので、腕の肌に密着しており、外側編地２の気化熱による冷却効果は、直ちに人体に伝達される。また、ゴム編みされていることで、腕カバー１の腕の位置は留まり冷却効果を持続させる。
【００１０】
外側編地２が内側編地３の水が、水のまま流れ去ってしまうのを抑制することにより、内側編地３の保水を維持し、冷却される時間を持続させる。また、外側編地２に、ウーリーエステルを使用することにより水分の蒸発を促進する機能を持たせ、水を効率よく蒸散させることができる。尚、ウーリーエステルとは、フィラメント（長繊維）の化学繊維に、加撚・解撚加工を施したバネのような伸縮性、毛糸のような嵩高性・保温性・吸湿性をもつ糸である。
【００１１】
また、内側編地３としてレーヨンを使用することができる。レーヨンは公定水分率が１１％であり、保水性に優れており。綿に置き換えて、或いは共に使用することができる。
【００１２】
次に、腕カバーの使用方法について説明する。図3において、腕カバー1を水に浸透させる。図３Ａにおいては、水を張ったタライに腕カバー1を浸ける状態を示している。水を含んだ腕カバー1を絞って余分な水分を落とす（図３Ｂ）。水は、内側編地３に吸収され腕カバー1の重さの2倍程度の重さとなる。水を吸水した腕カバー1を腕に装着して使用する（図３Ｃ）。内側編地は水分を保水しつつ、外側編地から水分が気化することにより腕を冷却することができる。
【００１３】
図４は、試料１から６に対して、保水性と冷却効果の持続時間を調べたものである。
試料１〜４は、外側編地２としてウーリーエステル、内側編地３として綿を使用し、試料５及び６は内側編地３としてレーヨンを用いている。内側編地３に水を保水させ、無風状態の中、朝９時から夕方まで温度を測定した。
いずれの試料も、乾燥重量とほぼ同量の水を含んでいる。初期状態の水分量は試料４が最も少なく、試料５が最も多い。この結果、試料４については、昼を過ぎると水分が失われて温度が上昇した。一方、保水量の大きかった試料５は夕方になっても冷却効果が持続した。
【符号の説明】
【００１４】
１  腕カバー
２  外側編地
３  内側編地 
【図１】
0003173220.tif 000003
【図２】
0003173220.tif 000004
【図３】
0003173220.tif 000005
【図４】
0003173220.tif 000006
(57)【要約】      （修正有）【課題】シュレッダゴミ袋の破裂を防ぎ、情報漏れの恐れをなくし、美観を損なわず清掃等の無駄な時間の削減するゴミ袋を提供する。【解決手段】ナイロン、ポリエチレン等の軟質合成樹脂製の可透性袋本体１と、この袋本体の表面で、而も底部１ｂの一定上位から上部の収納口２に亘って形成された多数の小孔３とで成したことを特徴とする。ゴミ袋内の空気を排出し、その分ゴミ収納量を増すことができる。特に、空気抜きの小孔をあけることにより、収集時のパッカー車の圧迫がかかっても、内部の空気が抜けるため袋が破裂することによって、袋内のゴミが飛散することもない。【選択図】図１
0003173207.tif 000002
【実用新案登録請求の範囲】
【請求項１】
ナイロン、ポリエチレン等の軟質合成樹脂製の可透性袋本体と、この袋本体の表面で、而も底部の一定上位から上部の収納口に亘って形成された多数の小孔とで成したことを特徴としたゴミ袋。
【請求項２】
前記小孔は、底部の一定上位と、上部の収納口の一定下位との間に亘って形成したことを特徴とした請求項１記載のゴミ袋。
【請求項３】
前記小孔は、Ｘ状に形成したことを特徴とした請求項１〜２のいずれか1記載のゴミ袋。
【考案の詳細な説明】
【技術分野】
【０００１】
本考案はシュレッダにて裁断された紙等のゴミを収納するゴミ袋に関する。
【背景技術】
【０００２】
一般的に、シュレッダにて細かく裁断されたゴミ処理は、ナイロン、ポリエチレン等の軟質合成樹脂製にて形成された透明性の専用ゴミ袋に収納し処理している。
従って、袋の入り口を縛ってゴミ出しをするが、収集車（パッカー車）にて収集する場合、圧縮により袋の内部の空気が圧迫されゴミ袋が破裂をする。それにより、中のシュレッダゴミが飛び散ることになり、収集後の清掃を要することとなる。
特に、この種ゴミ袋内には各種の情報及び機密文書等がシュレッダにて細かく裁断されてはいるが、ややもすると解読可能な状態のものも混在し、情報が漏れる恐れもある。
また、ゴミが飛び散ることにより美観が損なわれている。
【考案の概要】
【考案が解決しようとする課題】
【０００３】
シュレッダゴミ袋の破裂を防ぎ、情報漏れの恐れをなくし、美観を損なわず清掃等
の無駄な時間の削減する課題を解決する。
【課題を解決するための手段】
【０００４】
本考案は、ナイロンポリエチレン等の軟質合成樹脂製の可透性袋本体と、この袋
本体の表面で、而も底部の一定上位から上部の収納口に亘って形成された多数の小
孔とで成したことを特徴としたものである。
更に本考案は、小孔を底部の一定上位と、上部の収納口の一定下位との間に亘っ
て形成したことを特徴としたものである。
また本考案は、小孔を×状に形成したことを特徴としたものである。
【考案の効果】
【０００５】
（１）請求項１により、ゴミ袋内の空気を排出し、その分ゴミ収納量を増すことができる。特に、空気抜きの小孔をあけることにより、収集時のパッカー車の圧迫がかかっても、内部の空気が抜けるため袋の破裂することによって、袋内のゴミが飛散することもない。
（２）請求項２により、紙粉や混在した細かい砂、更にはゴミＰと混在して収納された茶屑の水分が床面等に漏洩して床面等を汚すことがない。
（３）請求項３により、小孔は丸孔に比し、常に閉塞されているから、ゴミと共に収納された粉塵の排出が極力少なくなる。
【図面の簡単な説明】
【０００６】
【図１】ゴミ袋の斜視図
【図２】同上の断面図
【図３】同上部分拡大図
【図４】同上の異なる実施例を示す部分拡大図
【図５】使用状態を示す斜視図
【考案を実施するための形態】
【０００７】
以下本考案を実施例として掲げた図面に基づいて説明する。
図１はゴミ袋の斜視図であって、可透性袋本体１はナイロン、ポリエチレン等の軟質合成樹脂にて形成されている。
而して、この可透性袋本体１は表面１aに、その底部１bの一定上位から上部１cの収納口２に亘って小孔３を多数形成している。
【０００８】
この小孔３は、底部１bの一定上位から上部１cの収納口２に亘った一定下位との間Ｘに亘って形成しているが、勿論上部１cの収納口２まで形成してもよい。即ち、底部１bの一定上位から形成することによって、ゴミＰと混在して収納された茶屑の水分が床面等に漏洩することへの配慮であり、特に限定するものではない。
而して、この多数の小孔３は、ゴミＰを収納した後、或いは収納過程において、袋本体１を外部から圧迫することにより、内部の空気が多数の小孔３から排出され、袋本体１の嵩張りが軽減することとなる。
【０００９】
更に小孔３は、図３に示す如く、Ｘ状に切り込んで形成しているが、勿論、図4に示す如く丸孔に穿ってもよい。
【００１０】
次に本考案ゴミ袋の使用順序を説明すると、図１に於いて可透性袋本体１は上部１cの収納口２が開いており、その状態からシュレッダにて裁断された紙等のゴミＰを図２に示す如く収納する。
この紙等のゴミＰを収納した後、図５に示す如く収納口２を結び付け、その後所定の収集保管場所に運び込む。
而して、ゴミＰを収納した後、或いは収納過程において、袋本体１を外部から圧迫すれば、内部の空気が多数の小孔３から排出され、袋本体１の嵩張りを可及的に軽減する。
【符号の説明】
【００１１】
Ｐ   ゴミ
Ｘ   底部の一定上位から上部の収納口に亘った一定下位との間
１   可透性袋本体
１a  表面
１b  底部
１c  上部
２   納口
３   小孔
【図１】
0003173207.tif 000003
【図２】
0003173207.tif 000004
【図３】
0003173207.tif 000005
【図４】
0003173207.tif 000006
【図５】
0003173207.tif 000007
(57)【要約】      （修正有）【課題】蛍光灯台に取り付け、同様に正常に作動する一端通電のＬＥＤ蛍光灯用コネクタを提供する。【解決手段】一端通電のＬＥＤ蛍光灯用コネクタ１０は、既設点灯管の取り付け口に挿入し、外殻１と、外殻１内に一定間隔をあけて配置した接点２と、二接点２の上端に共に連結するヒューズ３とを含み、二接点２の底端は外殻１の外側に突出する。【選択図】図３
0003173203.tif 000002
【実用新案登録請求の範囲】
【請求項１】
従来の蛍光灯台に設置した点灯管の取り付け口に挿入する一端通電のＬＥＤ蛍光灯用コネクタであって、
外殻と、外殻内に一定間隔をあけて配置した接点と、二接点の上端に共に連結するヒューズとを含み、二接点の底端は外殻の外側に突出することを特徴とする一端通電のＬＥＤ蛍光灯用コネクタ。
【考案の詳細な説明】
【技術分野】
【０００１】
本考案は、照明器具の周辺機器の分野に係り、特に蛍光灯台上に取り付ける一端通電のＬＥＤ蛍光灯用コネクタに関する。
【背景技術】
【０００２】
一般の蛍光灯回路は図１に示すとおり、その点灯には点灯管を必要とする。点灯管には二金属片の接点を内設し、アルゴンとネオン混合の不活性ガスを封入する。回路が通電すると、電圧を供給された点灯管内の不活性ガスが電離し、グロー放電が発生する。グロー放電により生じた熱により二金属片が熱膨張を受けて接触し、安定器を通してフィラメントと直列回路を形成する。金属片が接触した後、グロー放電は消え、金属片が冷却されて接点が開き、直列回路が中断され、中断された瞬間にフィラメント間に高電圧が発生し、蛍光灯が点灯する。
【０００３】
また、従来の蛍光灯と比較し、新型のＬＥＤ蛍光灯は、明るく、反応時間が短く、環境にやさしく、有害金属を含まず、回収が簡単で、省エネ、使用寿命が長い等の特徴が人々に受け入れられ、徐々に、現有の蛍光灯に取って代わるものとなった。ＬＥＤ蛍光灯の回路は図２に示すとおり、点灯管不要で、特に、安全規定に符合する一端通電のＬＥＤ蛍光灯は、従来の蛍光灯台に取り付けても点灯できず、対応する蛍光灯台を必要とする。
【考案の概要】
【考案が解決しようとする課題】
【０００４】
そこで、本考案の目的は、前述の欠点に鑑み、従来の蛍光灯台に取り付け、同様に正常作動させるための一端通電のＬＥＤ蛍光灯用コネクタを提供することにある。
【課題を解決するための手段】
【０００５】
前述の目的を達成するために、本考案の採用する技術手段は次のとおりである。
本考案の一端通電のＬＥＤ蛍光灯用コネクタは、従来の蛍光灯台に設置した点灯管の取り付け口上に挿入し、外殻と、外殻内に一定間隔をあけて配置した接点と、二接点の上端に共に連結するヒューズとを含む。尚、二接点の底端は外殻の外側に突出する。
【０００６】
前述手段を採用し、コネクタを従来の蛍光灯台上に設置した点灯管取り付け口に挿入し、一端通電のＬＥＤ蛍光灯を従来の蛍光灯台に取り付けると、同様に正常作動し、一端通電のＬＥＤ蛍光灯を市場に応用する際の問題点を解決する。
【考案の効果】
【０００７】
本考案の一端通電のＬＥＤ蛍光灯用コネクタは、従来の蛍光灯台に取り付け、同様に正常作動させることができるという効果を奏する。
【図面の簡単な説明】
【０００８】
【図１】従来の蛍光灯の回路図である。
【図２】従来のＬＥＤ蛍光灯の回路である。
【図３】本考案のコネクタの構造図である。
【図４】本考案の一端通電ＬＥＤ蛍光灯の回路図である。
【考案を実施するための形態】
【０００９】
図３に示すとおり、本考案の一端通電のＬＥＤ蛍光灯用コネクタ１０は、外殻１と、外殻１内に一定間隔をあけて配置した接点２と、二接点２の上端に共に連結するヒューズ３とを含む。二接点２の底端は外殻１の外側に突出し、二接点２の底端を対応する一般の蛍光灯台に設置した点灯管の取り付け口上に挿入することで、コネクタ１０を点灯管の代わりに蛍光灯台上に取り付ける。
【００１０】
使用時は、図４に示すとおり、一端通電のＬＥＤ蛍光灯とコネクタ１０を従来の蛍光灯台上に取り付けると、コネクタ１０が直列回路を形成し、回路に通電後は、一端通電ＬＥＤ蛍光灯が正常に発光して明るくなる。よって、蛍光灯台を取り替える必要なく、便利に使用でき、コネクタ１０のヒューズが回路に対して好ましい保護作用を生じさせる。
【符号の説明】
【００１１】
１０    コネクタ
１      外殻
２      接点
３      ヒューズ
【図１】
0003173203.tif 000003
【図２】
0003173203.tif 000004
【図３】
0003173203.tif 000005
【図４】
0003173203.tif 000006
(57)【要約】      （修正有）【課題】安価なＬＥＤ式スポットライトを提供する。【解決手段】ＬＥＤの前面と背面に放熱器を有する。前面の放熱器は、外側に一定の間隔で溝が設けられ、内側は反射鏡である。前面もしくは背面の放熱器には、スポットライト灯体に固定するためのラッチが設けられ、ラッチはランプ挿入方向から操作できる。【選択図】図１
0003173289.tif 000002
【実用新案登録請求の範囲】
【請求項１】
従来のスポットライトにＬＥＤを組み込んだＬＥＤ式スポットライトで、ＬＥＤの背面と前面に放熱器を有することを特徴とするＬＥＤ式スポットライト。  
【請求項２】
前記、前面の放熱器は、外側に一定の間隔を置いて溝を設け、内側は反射鏡であることを特徴とする請求項１のＬＥＤ式スポットライト。
【請求項３】
前記、前面もしくは背面の放熱器にスポットライト灯体に該放熱器を固定するラッチが設けてあり、本ラッチはランプ挿入方向から固定、開放操作ができることを特徴とする請求項１のＬＥＤ式スポットライト。
【考案の詳細な説明】
【技術分野】
【０００１】
本発明はスポットライト、特にLEDを用いたLED式スポットライトに関するものである。
【背景技術】
【０００２】
一般に、舞台やテレビスタジオ等の照明に使用されるスポットライトにはハロゲン電球が多く使用されている。これは、これはハロゲン電球の発光部分、フィラメントがレンズに対して十分小さく、レンズが光を効率良く取り込み、照射できるからである。しかしながら消費される電力は数百ワットから数千ワットとの電力が必要かつ、高熱のフィラメントからの大量の赤外線による加熱から、ハロゲン電球を用いたスポットライトは耐久性が悪く、器具の寿命が比較的に短くなっている。
【０００３】
そこで、近年、発光効率がハロゲン電球より良く、長寿命なＬＥＤを使用したスポットライトが検討されてきた。
【先行技術文献】
【特許文献】
【０００４】
【特許文献１】特開２００５−１００７２３
【特許文献２】特開２００５−１２９３５４
【特許文献３】特開２００５−１４２００５
【考案の概要】
【考案が解決しようとする課題】
【０００５】
前記、光源をハロゲン電球からＬＥＤに変更するにあたり、スポットライトにＬＥＤが最適に使用されるよう、新たに器具を設計開発している。このため金型などの新規費用が必要でコストが大幅に高くなり、広く利用されていない。
【課題を解決するための手段】
【０００６】
本考案は、ＬＥＤ素子を高密度に集積したＬＥＤモジュールを、従来、ハロゲン電球を使用していたスポットライトの光軸に直角にセットし、そのＬＥＤモジュールをマウントした放熱器を従来スポットライトのソケットに挿入、固定したものである。ＬＥＤにおては、使用時の温度に制限があり、できるだけ大きな放熱器にＬＥＤモジュールをマウントする必要がある。しかしながら専用に設計された器具ではなく、ＬＥＤモジュール背面の空間が十分でない場合がしばしば発生する。このため従来では使用されていない空間、ＬＥＤモジュール前面にも放熱器を設けることにした。この前面部放熱器の外側には、一定間隔の溝を設け放熱面積を増加させた。前面部放熱器の内側はＬＥＤモジュールから発光する光を効率良くレンズに導くよう反射鏡になっている。
【０００７】
さらに、放熱器が大型になり、重さが従来使用されていたハロゲン電球より重くなり、従来、設置してあるソケットだけでは、方向によっては十分に固定できない場合が考えれ、それに対応できるように放熱器をスポットライトの灯体に固定した。
【０００８】
また、この固定は、スポットライトに通常設置されている、ＬＥＤには不要なハロゲン電球背面の反射鏡を取り外し、この反射鏡取付穴に小球を圧入するようにした。これによりハロゲン電球の挿入方向から止めねじを操作でき、固定作業が簡単にできる。
【考案の効果】
【０００９】
以上説明したように、本発明は、従来のハロゲン電球を使用したスポットライト、しいて言えば廃棄されたスポットライトを使用でき、安価なＬＥＤスポットライトを提供できる。これにより省電力に大いに貢献できる。
【図面の簡単な説明】
【００１０】
【図１】図１は本考案に係わる断面図である。
【図２】図２は本考案に係わるラッチ部分の拡大図である。
【考案を実施するための形態】
【００１１】
以下、本考案の実施の形態について詳細に説明する。
【実施例】
【００１２】
図１は実施例に係わるＬＥＤ式スポットライトの断面図である。ＬＥＤモジュール２を背面部放熱器３に固定し、前面部放熱器４を背面部放熱器３に固定する。灯体に具備されたソケットに適合する口金５を背面部放熱器３に接続固定し、該ソケットに挿入、固定する。
【００１３】
図２は図１におけるラッチ６部分の拡大図である。スポットライトの反射鏡取付穴１０に小球９をネジ８を前後させ圧入し、スポットライト反射鏡保持金板７に固定する。ネジ８の設置方向を変えることで小球９を圧入する操作をランプ挿入方向に合わせられ、簡単に背面部放熱器３をスポットライト灯体１に固定できる。本ラッチ６はスポットライト反射鏡保持金板７の位置により前面部放熱器４に取付けることもある。
【産業上の利用可能性】
【００１４】
本考案はＬＥＤ式スポットライトを安価に提供でき、省電力に大きな貢献ができる。
【符号の説明】
【００１５】
１      従来のスポットライト灯体
２      ＬＥＤモジュール
３      背面部放熱器
４      前面部放熱器
５      口金
６      ラッチ
７      スポットライト反射鏡保持具
８      ネジ
９      小球
１０    反射鏡取付穴
【図１】
0003173289.tif 000003
【図２】
0003173289.tif 000004
(57)【要約】      （修正有）【課題】自動車及び自動二輪車に通常用いられる、ＪＩＳ規格に定めるＨ４電球仕様のヘッドランプに小型用のＴ１９電球を装着するためのヘッドランプ電球交換アダプターを提供する。【解決手段】Ｈ４電球仕様のヘッドランプの電球座２１に装着できる形状の上下鍔付円筒状のスリーブである外金具１１とＴ１９電球を装着できる円筒状のスリーブである内金具１２から構成され、外金具１１と内金具１２は先端部分のかしめ接続部でかしめ加工により接続した構成にすることにより、Ｈ４電球仕様のヘッドランプにＴ１９電球を装着できるようにする。【選択図】図１
0003173251.tif 000002
【実用新案登録請求の範囲】
【請求項１】
Ｈ４電球仕様のヘッドランプの電球座２１に装着できる形状の上下鍔付円筒状のスリーブである外金具１１と、Ｔ１９電球を装着できる、少し径の小さい円筒状のスリーブである内金具１２から構成され、外金具１１と内金具１２は先端部分のかしめ接続部１３でかしめ加工により接続した構成にすることにより、Ｈ４電球仕様のヘッドランプにＴ１９電球を装着できるようにしたことを特徴とする自動車及び自動二輪車用ヘッドランプ電球変換アダプター。
【請求項２】
請求項１記載のヘッドランプ電球変換アダプター１を用いた事を特徴とする自動車及び自動二輪車用ヘッドランプ。
【考案の詳細な説明】
【技術分野】
【０００１】本考案は自動車及び自動二輪車に通常用いられる、ＪＩＳ規格に定めるＨ４電球仕様のヘッドランプに小型用のＴ１９電球を装着するためのヘッドランプ電球変換アダプターに関するものである。
【背景技術】
【０００２】自動車及び自動二輪車の１３０ｍｍ前照灯には通常、ＪＩＳ規格に定めるＨ４電球仕様のヘッドランプ２３が使用されており、小型のＴ１９電球を装着するにはＴ１９電球専用のヘッドランプ本体を使用する必要がある。
【先行技術文献】
【特許文献】
【０００３】
【特許文献１】特開平１１−２５７１６公報
【考案の概要】
【考案が解決しようとする課題】
【０００４】（１）ＪＩＳ規格に定めるＨ４電球仕様ヘッドランプにはＴ１９電球を装着することが出来ないためヘッドランプ後方の小型化が不可能である。
（２）自動車及び自動二輪車にＨ４電球仕様のヘッドランプを取り付ける場合、後方のスペース的な問題が生じる場合が多い。
本考案は小型のＴ１９電球用のヘッドランプ電球変換アダプターを使用することによりランプ後部の小型化をはかり前述の欠点を解決しようとする事を目的とする。
【課題を解決するための手段】
【０００５】上下鍔付スリーブ状でＨ４電球座２１に装着できる形状の外金具１１とＴ１９電球３１を装着できる形状のスリーブ状の内金具１２から構成され、外金具１１と内金具１２は先端部分のかしめ接続部１３でかしめ加工により接続されている事を特徴とするヘッドランプ電球変換アダプター１である。【０００６】ヘッドランプ電球変換アダプター１を用いた事を特徴とする自動車及び自動二輪車用ヘッドランプ。
【考案の効果】
【０００７】（１）本来ならばＨ４電球仕様のヘッドランプが装着不可能な車種は、新たにＴ１９電球仕様ヘッドランプを購入等することにより取り付けなければならないが、本考案のヘッドランプ電球変換アダプター１を使用することにより、そういった経済的負担を軽減できる。
（２）Ｈ４電球仕様のヘッドランプにＴ１９電球を取り付けることにより後方形状を小型化することができ、ランプ装着時の後方部の干渉等による問題を解決している。
【図面の簡単な説明】
【０００８】
【図１】本考案のヘッドランプ電球変換アダプターを用いたヘッドランプの構成
【図２】本考案のヘッドランプ電球変換アダプターの構成
【図３】従来のヘッドランプの構成
【考案を実施するための形態】
【０００９】図１は本考案のヘッドランプ電球変換アダプター１を用いたヘッドランプの構成である。
本ヘッドランプはヘッドランプ本体２３と本考案のヘッドランプ電球変換アダプター１とＴ１９電球３１とソケット４から構成される。
ヘッドランプ本体２３は本来、Ｈ４電球３２を装着するための電球座２１を備え電球座２１には電球止め金２２を備えている。
ヘッドランプ電球変換アダプター１は、上下鍔付円筒状のスリーブである外金具１１の内側に同じく少し径の小さい円筒状のスリーブである内金具１２の先端部であるかしめ接続部１３でかしめて構成する。
【００１０】Ｈ４ヘッドランプのヘッドランプ本体２３にＴ１９電球３１を取り付けるためには、本考案のヘッドランプ電球変換アダプター１を電球座２１に取り付け、取り付けた電球座２１を電球止め金２２で固定し、固定されたヘッドランプ電球変換アダプター１にＴ１９電球３１を装着し、ソケット４でＴ１９電球３１を固定する。
図２は本考案のヘッドランプ電球変換アダプターの構成である。
ヘッドランプ電球変換アダプター１は上下鍔付スリーブ状で、Ｈ４電球の電球座２１に装着できる形状の外金具１１とＴ１９電球３１を装着できる形状のスリーブ状の内金具１２からなり、外金具１１と内金具１２は先端部分でかしめ加工により接続している。
図３は従来のヘッドランプの構成である。
従来のヘッドランプ２はヘッドランプ本体２３の電球座２１部分にＨ４電球３２を装着し、電球止め金２２で固定している。
【産業上の利用可能性】
【００１１】本来ならばＨ４電球仕様のヘッドランプが装着不可能な車種は、新たにＴ１９電球仕様ヘッドランプが必要であるが、本考案の金具を使用することによりＨ４電球用ヘッドランプ２に容易にＴ１９電球３１を低コストで取り付けることが出来る。
無駄な製品開発をする必要がなくなり、広義的に環境問題に貢献している。
【符号の説明】
【００１２】１      ヘッドランプ電球変換アダプター
１１    外金具
１２    内金具
１３    かしめ接続部
２      ヘッドランプ
２１    電球座
２２    電球止め金
２３    ヘッドランプ本体
３      電球
３１    Ｔ１９電球
３２    Ｈ４電球
４      電球ソケット
【図１】
0003173251.tif 000003
【図２】
0003173251.tif 000004
【図３】
0003173251.tif 000005
(57)【要約】【課題】  もち米の用途を拡大し消費量を増やすと共に、餅の特徴を活かしたお弁当のおかずや子供のおやつにも気軽に利用できる新規なハムカツを提供することを目的とする。【解決手段】  材料として、薄くスライスされたハムを２枚（１ａ，１ｂ）、搗いた餅を薄く２〜３ｍｍ程度にスライスし短冊状に形成された餅２を１枚用意する。下からハム１ａ、餅２，ハム１ｂの順に重ね、まわりに衣をまぶして油で揚げて、完成である。【選択図】図１
0003173257.tif 000002
【実用新案登録請求の範囲】
【請求項１】
短冊状の餅をハムで上下から挟み込んだことを特徴とするハムカツ。
【請求項２】
一般的なハムのみが挟み込まれたハムカツの揚げ時間よりも、少々長い時間揚げたことを特徴とする請求項１記載のハムカツ。
【考案の詳細な説明】
【技術分野】
【０００１】  本考案は、ハムに衣を付けて油で揚げたハムカツに関するものである。
【背景技術】
【０００２】  岩手県紫波郡紫波町は、もち米品種「ヒメノモチ」の生産量が日本一である。そこで、このもち米の良さを広くＰＲし消費拡大につなげたいと考えていた。ただ、餅としての食し方には限界があるため、餅の特性を生かした加工品の開発が望まれていた。【０００３】  そこで、本願出願人は、餅の特性を活かした加工品を検討した結果、餅は油との相性が良いことを踏まえ、ご飯やお弁当のおかず、子供のおやつ等として食される身近で且つ手軽な惣菜としてのハムカツとのコラボレーションの商品開発を開始した。しかしながら、単に餅とハムを重ねただけでは、衣を付けて油で揚げた際に、餅が衣からはみ出たり、食感に偏りがあるなどの問題があった。
【考案の概要】
【考案が解決しようとする課題】
【０００４】  本考案は、このような課題を解決するものであり、もち米の用途を拡大し消費量を増やすと共に、餅の特徴を活かしたお弁当のおかずや子供のおやつにも気軽に利用できる新規なハムカツを提供することを目的とする。
【課題を解決するための手段】
【０００５】  上記目的を達成する本考案のハムカツにあっては、短冊状の餅をハムで上下から挟み込んだことを特徴とする。【０００６】  また、本考案にあっては、一般的なハムのみが挟み込まれたハムカツの揚げ時間よりも、少々長い時間揚げたことを特徴とする。
【考案の効果】
【０００７】  本考案のハムカツにあっては、短冊状の餅をハムで上下から挟み込んだことで、食感が偏らないと共に、ハムの歯応えと餅のもちもち且つとろける感じが絶妙なバランスの新たな食感を得ることができる。また、揚げている最中に餅が衣からはみ出すことを抑えることできる。更に、餅の特徴を活かした付加価値をつけた新たなハムカツが開発でき、もち米の消費拡大に資することができる。
【図面の簡単な説明】
【０００８】
【図１】  本考案のハムカツの完成状態を示す参考断面図である。
【考案を実施するための形態】
【０００９】  以下に、本考案のハムカツの実施形態について説明する。図１は、本考案に係るハムカツの完成状態を示す参考断面図である。
【００１０】  ハムカツの作り方は以下の通りである。材料として、薄くスライスされたハムを２枚（１ａ，１ｂ）、搗いた餅を薄く２〜３ｍｍ程度にスライスし短冊状に形成された餅２を１枚用意する。下からハム１ａ、餅２，ハム１ｂの順に重ね、まわりに衣をまぶして油で揚げて、完成である。油で揚げることで、ハム１ａ，１ｂ、餅２に火が通ることなる。餅２は、火が通ることで、餅特有のもちもち且つとろける食感が得られるようになる。
【００１１】  揚げ時間は重要であり、一般的なハムのみを材料としたハムカツの揚げ時間よりも、少々長い時間揚げることが望ましい。時間が短いと餅まで火がきちんと通らずもちもち且つとろける食感が得られず、長すぎるとハムから脂分が溶け出しカリカリの状態になり、餅がとろけ過ぎてしまいもちもちした感じが無くなってしまうことになる。本願出願人が試行錯誤を繰り返した結果では、一般的なハムのみを材料としたハムカツの揚げ時間よりも、１分程度長く揚げることが望ましいことが判明した。
【００１２】  このようにして作った本考案のハムカツにあっては、薄くスライスされた短冊状の餅をハムで上下から挟み込んだことで食感が偏らず、また、上下のハムの歯応えと、中の餅のもちもち且つとろける感じのバランスが絶妙であり、新たな食感が得られるものである。また、揚げている最中に餅が衣からはみ出すことを抑えることできる。
【００１３】  尚、本考案は、ハム及び餅の厚さや枚数に限定されるものではなく、２枚以上のハム間に短冊状に形成された餅が１枚以上挟み込まれていれば良いものである。また、薄くスライスされた短冊状の餅として、餅を薄くスライスしてある市販のしゃぶしゃぶ用の餅も使用可能である。また、もち米品種「ヒメノモチ」の餅は、やわらかくて延びが良いことから、この考案のハムカツに適している。
【００１４】  餅を使っていることから、腹持ちが良い食品となり、弁当のおかずや子供のおやつにも気軽に利用できる。餅の特徴を活かした付加価値をつけた新たなハムカツが開発でき、もち米の消費拡大に資することができる。
【符号の説明】
【００１５】１ａ，１ｂ    ハム
２    餅
３    衣
【図１】
0003173257.tif 000003
(57)【要約】      （修正有）【課題】財布など嵩張るものを入れずにお金や鍵など貴重品および小物を出来るだけ目立たないように、衣服に掛止して持ち歩けるバッグを提供する。【解決手段】バッグの掛止部にポケットを設け、お札やカード、鍵などを直に入れることが出来るようにし、嵩張らず目立たないようにした。お金など貴重品は直にバッグに入れ難いものであるが、隠れた部分に入れることが出来ると共にバッグの表側に入れるものも少なく成り、目立ち難くなった。【選択図】図１
0003173259.tif 000002
【実用新案登録請求の範囲】
【請求項１】
物を入れるバッグと、そのバッグの背面に固定された、衣服に差し込んで掛止するための掛止部とから構成されていて、当該掛止部にポケットを設けたことを特徴するバッグ。
【請求項２】
前記掛止部にポケットの口に開閉機能を設けた請求項１に記載のバッグ。
【考案の詳細な説明】
【技術分野】
【０００１】  本考案は、刺し込み式バッグに関するものである。
【背景技術】
【０００２】  現在まで、衣服やバンドに掛止するタイプのバッグは、裏側に固定されたループ状のところにバンドを通すものや、裏側に薄い掛止部を設けそれを衣服に差し込むものや、バッグを二つ折りにして一方を衣服の中に入れるもの等があった。【０００３】  しかし、財布など嵩張るものを入れずにお金や鍵など貴重品や小物を出来るだけ目立たないように、安心して衣服に掛止して持ち歩きたい時、従来の掛止部を持つタイプのバッグには内側掛止部にポケットが無く、表側のバッグには直にお金も入れ難く、財布を入れるため目立ってしまう。またバッグを二つ折りにしたタイプのものでは大きな容量に対応したバッグということもありバッグ自体が嵩張るという欠点があった。
【先行技術文献】
【特許文献】
【０００４】
【特許文献１】実開昭６１−１２１１２６
【特許文献２】実開平７−４４０６２
【特許文献３】登録実用第３１６２６９６
【考案の概要】
【考案が解決しようとする課題】  本考案が解決しようとする課題は、財布など嵩張るものを入れずにお金や鍵など貴重品および小物を出来るだけ目立たないように、衣服に掛止して持ち歩けるバッグを提供することにある。【０００５】
【課題を解決するための手段】
【０００６】  バッグの掛止部にポケットを設け、お札やカード、鍵などを直に入れることが出来るようにした。
【考案の効果】
【０００７】  お金など貴重品は直にバッグに入れ難いものであるが、隠れた部分に入れることが出来ると共にバッグの表側に入れるものも少なく成り、目立ち難くなった。
【図面の簡単な説明】
【０００８】
【図１】  本考案の実施例１を示す説明図である。
【図２】  本考案の実施例１における部分拡大図である。
【図３】  本考案の実施例１における部分拡大図である。
【図４】  本考案の実施例１における説明図である。
【図５】  本考案の実施例２を示す説明図である。
【図６】  本考案の実施例２における部分拡大図である。
【図７】  本考案を使用したときの状態図である。
【考案を実施するための形態】
【０００９】  本考案の実施の形態を実施例により説明する。
【実施例】
【００１０】実施例１
本考案の実施例１は、図１にしめすように物を入れるバッグ１０と、当該バッグをスカートやズボンまたはズボンのバンド等の衣服に掛止するための掛止部２０で構成されている。【００１１】  前記バッグ１０は図２に示すように、特別な構造をしているものではなく、物を入れる袋状の本体１と、その本体に蓋をするための蓋２と、蓋を本体１に留めるためのストッパー３からなっているバッグの一例を示したもので、構造において特定するものではない。【００１２】  前記実施例１の掛止部２０は、図３に示すように、バック１０の背面に取付け部４−２０によって取り付けられていて、衣服に差し込んで掛止するための差込部５−２０と、当該差込部の途中から袋状に二重になった、掛止部とほぼ同じ大きさのポケット６−２０を有している。そのポケット６−２０はお金や銀行カード、鍵などを直に入れるためのものであるが、その中にプラスチックスや金属、布などの板状の芯材７−２０が差し込まれていて、バッグが掛止状態から外れ難くまた衣服に掛止部を差込易くする機能も果たしている。なお、ポケットは掛止部が薄くなることを考慮するが、三重、四重であってもよい。また、ポケットは図４に示すように、掛止部の裏側に設けても良い。更に、バッグ１０の背面に掛止部２０を取り付ける方法は縫製、接着何れでも良く、特定するものではない。【００１３】実施例２
本考案の実施例２は、図５、図６に示すように、掛止部に設けられたポケット上部に、開閉するためのファスナーを設けたことを特徴とする。【００１４】  したがって、バッグは実施例１と同様に構造を特定するものではなく、図バッグ１０を使用している。【００１５】  本考案の実施例２における掛止部４０は、図６で示すように、バック１０の背面に取付け部４−４０によって取り付けられていて、衣服に差し込んで掛止するための差込部５−４０と、当該差込部の途中から袋状に二重になった、掛止部とほぼ同じ大きさのポケット６−４０を有している。またポケット上部にはポケットの口を開閉するファスナー８が設けられている。そのポケット６−４０は実施例１と同様、お金や銀行カード、鍵などを直に入れるためのものであるが、その中にファスナーを閉めることが出来る大きさのプラスチックスや金属、布などの板状の芯材７−４０が差し込まれていて、実施例１と同様の機能を有している。なお、ポケットの口の開閉にはファスナーでなく、面ファスナー、ボタン、クリップやフックなどを使用しても良い。【００１６】  本考案をスカートやズボンに掛止したときの状態を、図７に示す。
【符号の説明】
【００１７】  １    本体
２    蓋
３    ストッパー
４−２０、４−４０、４−５０  取付け部
５−２０、５−４０、５−５０  差込部
６−２０、６−４０、６−５０  ポケット
７−２０、７−４０、７−５０  芯材
８    ファスナー
１０    バッグ
２０    実施例１の掛止部
４０    実施例２の掛止部
５０    実施例２における説明内の別の掛止部
６０    体
７０    ズボン
【図１】
0003173259.tif 000003
【図２】
0003173259.tif 000004
【図３】
0003173259.tif 000005
【図４】
0003173259.tif 000006
【図５】
0003173259.tif 000007
【図６】
0003173259.tif 000008
【図７】
0003173259.tif 000009